(57)【特許請求の範囲】
【請求項１】
一対の框の一方に案内部材の一端部を屈曲案内し、前記案内部材の他端を前記一対の框の他方に接続し、連動装置により前記案内部材を駆動することにより、前記框を平行に維持した状態で移動させる框の平行移動装置において、
前記案内部材は、断面が緩く湾曲した薄板を上下２枚突き合わせるようにして軟質樹脂材で接合して筒状に形成されていることを特徴とする框の平行移動装置。
【請求項２】
一対の框に案内部材の両端部を屈曲案内し、連動装置により前記案内部材を駆動することにより、前記框を平行に維持した状態で移動させる框の平行移動装置において、
前記案内部材は、断面が緩く湾曲した薄板を上下２枚突き合わせるようにして軟質樹脂材で接合して筒状に形成されていることを特徴とする框の平行移動装置。
【請求項３】
一対の框を直角ランナーでハンガーレールに沿って移動可能に支持し、案内部材の一端を前記一対の框の一方の框の下部に固定するとともに、他端を他方の框の下部から同框内を上方へ屈曲案内し、テンションコードの一端を前記一方の框の上部に固定し、該テンションコードの他端を前記他方の框の上部から該框内に屈曲案内するとともに、該框内で反転して前記案内部材の他端に接続する框の平行移動装置において、
前記案内部材は、断面が緩く湾曲した薄板を上下２枚突き合わせるようにして軟質樹脂材で接合して筒状に形成されていることを特徴とする框の平行移動装置。
【請求項４】
一対の框をランナーでハンガーレールに沿って移動可能に支持し、案内部材の一端を前記一対の框の一方の框の下部に固定するとともに、他端部を他方の框の下部から該框内を上方へ屈曲案内するとともに、該框の上部からハンガーレールに沿って突出させて該ハンガーレールに固定し、テンションコードの一端を前記一方の框の上部に固定し、該テンションコードの他端を前記他方の框の上部から該框内に屈曲案内するとともに、該框内で反転して前記案内部材の他端部に接続する框の平行移動装置において、
前記案内部材は、断面が緩く湾曲した薄板を上下２枚突き合わせるようにして軟質樹脂材で接合して筒状に形成されていることを特徴とする框の平行移動装置。
【請求項５】
前記案内部材は、幅方向両側にリブを備えた鋼材を２枚突き合わせるように軟質樹脂材にて接合して形成したことを特徴とする請求項１乃至４のいずれかに記載の框の平行移動装置。
【請求項６】
前記鋼材には、多数の透孔を長手方向に沿って等間隔に設け、前記框内で前記案内部材を屈曲させる案内ローラーは、前記透孔に噛み合う歯車としたことを特徴とする請求項５記載の框の平行移動装置。
【発明の詳細な説明】
【０００１】
【発明の属する技術分野】
この発明は、横引きプリーツカーテン、横引きプリーツ網戸、縦型ブラインド、伸縮ルーバー、自立式伸縮間仕切りあるいは横引きロールブラインドの移動框を平行移動させる平行移動装置に関するものである。
【０００２】
【従来の技術】
特開平９−８８４５６号公報に記載されたスクリーン装置では、弾性的に屈曲可能としたスライドガイド枠部がスクリーン部材の上下に配設され、そのスライドガイド部材の一端が固定され、他端が框内に屈曲しながら挿入される。
【０００３】
そして、框を移動させるとき、スライドガイド枠部の弾性反発力により、一対の框が平行に維持された状態で移動する。
スライドガイド枠部は、軸方向に圧縮力が作用しても座屈しにくく、かつ弾性的に屈曲する材質として、帯状バネ材、帯状バネ材とプラスチック等のブロック連結体との結合体、屈曲弾性率の異なる帯状体の結合体、繊維強化プラスチックの帯状体が開示されている。
【０００４】
特開平１０−２８０８３８号公報には、同様なスライドガイド枠部を使用して、框を平行移動させる構成が開示されている。また、一端が壁面に固定され、他端がスライドガイド枠部に接続されるワイヤーにより、スクリーンの自立性が確保されている。
【０００５】
特開平１０−２８０８３６号公報には、棒状体の一端が固定され、他端が框内に曲折案内され、棒状体の端部同士が固定具で固定され、上下の棒状体が連動して曲折案内されて、框が平行移動する構成が開示されている。
【０００６】
棒状体は、軸方向に圧縮力が作用しても座屈しにくく、かつ軸方向のヤング率が低く上下方向に屈曲しやすい材料として、弱燃性スチールロープが開示されている。
【０００７】
特開平１０−２８０８３７号公報には、棒状体にＸ交差するワイヤーが接続されて閉ループが形成されて連動することにより、框が平行移動する構成が開示されている。
【０００８】
特開平９−１３８４８号公報には、第一及び第二の案内部材の一端が固定され、他端が框内をとおって上下レールに案内され、框内のスプロケットの同調作用により框が平行移動する構成が開示されている。
【０００９】
案内部材の材質は、軸方向に圧縮力が作用しても座屈せず、かつコーナー部分では容易に屈曲可能とする可撓性を備えた薄板状のバネ鋼が開示されている。
【００１０】
【発明が解決しようとする課題】
特開平９−８８４５６号公報及び特開平１０−２８０８３８号公報に記載された構成では、框を安定して自立的に保持するためには、スライドガイド枠部に所定の剛性が必要となるとともに、框を円滑に移動させるためには、スライドガイド部材の屈曲性を確保する必要がある。
【００１１】
従って、スライドガイド部材の剛性と屈曲性とのバランスを調整することが困難であり、特開平１０−２８０８３８号のように、ワイヤーでスクリーンの自立性を確保する場合には、さらに剛性を高くする必要があって、調整が困難となる。
【００１２】
特開平１０−２８０８３６号公報及び特開平１０−２８０８３７号公報に記載された構成では、棒状体の長さが長くなると、撓みが生じやすく、框の円滑に移動に支障をきたすことがある。
【００１３】
特開平９−１３８４８号公報に記載された構成では、案内部材が長尺となったとき、その撓みを防止するために下部レールを設けているため、バリアフリーが要求される間仕切りには適用できないという問題点がある。
【００１４】
この発明の目的は、框を平行移動させる案内部材において、剛性と屈曲性を互いに満足させ、かつ撓みを防止し得る案内部材を提供することにある。
【００１５】
【課題を解決するための手段】
請求項１では、一対の框の一方に案内部材の一端部を屈曲案内し、前記案内部材の他端を前記一対の框の他方に接続し、連動装置により前記案内部材を駆動することにより、前記框を平行に維持した状態で移動させる框の平行移動装置において、前記案内部材は、断面が緩く湾曲した薄板を上下２枚突き合わせるようにして軟質樹脂材で接合して筒状に形成されている。
【００１６】
請求項２では、一対の框に案内部材の両端部を屈曲案内し、連動装置により前記案内部材を駆動することにより、前記框を平行に維持した状態で移動させる框の平行移動装置において、前記案内部材は、断面が緩く湾曲した薄板を上下２枚突き合わせるようにして軟質樹脂材で接合して筒状に形成されている。
【００１７】
請求項３では、一対の框を直角ランナーでハンガーレールに沿って移動可能に支持し、案内部材の一端を前記一対の框の一方の框の下部に固定するとともに、他端を他方の框の下部から同框内を上方へ屈曲案内し、テンションコードの一端を前記一方の框の上部に固定し、該テンションコードの他端を前記他方の框の上部から該框内に屈曲案内するとともに、該框内で反転して前記案内部材の他端に接続する框の平行移動装置において、前記案内部材は、断面が緩く湾曲した薄板を上下２枚突き合わせるようにして軟質樹脂材で接合して筒状に形成されている。
【００１８】
請求項４では、一対の框をランナーでハンガーレールに沿って移動可能に支持し、案内部材の一端を前記一対の框の一方の框の下部に固定するとともに、他端部を他方の框の下部から該框内を上方へ屈曲案内するとともに、該框の上部からハンガーレールに沿って突出させて該ハンガーレールに固定し、テンションコードの一端を前記一方の框の上部に固定し、該テンションコードの他端を前記他方の框の上部から該框内に屈曲案内するとともに、該框内で反転して前記案内部材の他端部に接続する框の平行移動装置において、前記案内部材は、断面が緩く湾曲した薄板を上下２枚突き合わせるようにして軟質樹脂材で接合して筒状に形成されている。
【００１９】
請求項５では、前記案内部材は、幅方向両側にリブを備えた鋼材を２枚突き合わせるように軟質樹脂材にて接合して形成した。
請求項６では、前記鋼材には、多数の透孔を長手方向に沿って等間隔に設け、前記框内で前記案内部材を屈曲させる案内ローラーは、前記透孔に噛み合う歯車とした。
【００２０】
【発明の実施の形態】
図１及び図２に示す案内部材１は、断面が緩く湾曲した鋼材２ａの幅方向端部にリブ３が設けられ、そのリブ３を重ねあわせるようにして２枚の鋼材２ａが突き合わされる。
【００２１】
そして、外面が軟質樹脂４ａで全体を被覆して接合され、筒状に形成されている。また、各鋼材２ａの中央部には、長手方向に多数の透孔５が等間隔に形成されている。
【００２２】
このような案内部材１は、その長手方向に沿った圧縮力に対しては座屈しにくく、厚さ方向すなわち図２において矢印方向に作用する力に対しては、容易に屈曲可能となっている。
【００２３】
また、リブ３により突き合わせ成形時の幅方向のずれを許容することができ、安定した屈曲性を確保することができる。
上記のような案内部材１を使用した横引きプリーツカーテンの一例を図３に従って説明する。
【００２４】
一対の框６ａ，６ｂは、ランナー７ａ，７ｂを介してハンガーレール８に沿って移動可能に支持され、両框６ａ，６ｂ間にカーテン生地９が伸縮可能に支持されている。
【００２５】
前記框６ａの上下両端部には、歯車状の上部案内ローラー１０ａと、下部案内ローラー１０ｂが回転可能に支持されている。
前記框６ｂの上下両端部には、歯車状の上部案内ローラー１１ａと、下部案内ローラー１１ｂが回転可能に支持されている。
【００２６】
前記上部案内ローラー１０ａ，１１ａには、第一の案内部材１ａが掛装され、その第一の案内部材１ａの一端は上部案内ローラー１０ａに沿って屈曲されて、框６ａ内を下方に向かって案内されている。
【００２７】
また、第一の案内部材１ａの他端は、上部案内ローラー１１ａに沿って屈曲されて、框６ｂ内を下方に向かって案内されている。
前記下部案内ローラー１０ｂ，１１ｂには、第二の案内部材１ｂが掛装され、その第二の案内部材１ｂの一端は下部案内ローラー１０ｂに沿って屈曲されて、框６ａ内を上方に向かって案内されている。
【００２８】
また、第二の案内部材１ｂの他端は、下部案内ローラー１１ｂに沿って屈曲されて、框６ｂ内を上方に向かって案内されている。
前記第一及び第二の案内部材１ａ，１ｂは、前記透孔５で各案内ローラー１０ａ，１０ｂ，１１ａ，１１ｂに噛み合っている。
【００２９】
前記框６ａの上下両端部には、上部コードローラー１２ａと下部コードローラー１２ｂが回転可能に支持され、前記框６ｂの上下両端部には、上部コードローラー１３ａと下部コードローラー１３ｂが回転可能に支持されている。
【００３０】
前記框６ａ内の上部コードローラー１２ａには連結コード１４ａが掛装され、その連結コード１４ａの一端は、前記第一の案内部材１ａの端部に連結され、他端は前記第二の案内部材１ｂの端部に連結されている。
【００３１】
前記框６ａ内の下部コードローラー１２ｂには連結コード１４ｂが掛装され、その連結コード１４ｂの一端は、前記第一の案内部材１ａの端部に連結され、他端は前記第二の案内部材１ｂの端部に連結されている。
【００３２】
前記框６ｂ内の上部コードローラー１３ａには連結コード１５ａが掛装され、その連結コード１５ａの一端は、前記第一の案内部材１ａの端部に連結され、他端は前記第二の案内部材１ｂの端部に連結されている。
【００３３】
前記框６ｂ内の下部コードローラー１３ｂには連結コード１５ｂが掛装され、その連結コード１５ｂの一端は、前記第一の案内部材１ａの端部に連結され、他端は前記第二の案内部材１ｂの端部に連結されている。
【００３４】
上記のように構成された横引きプリーツカーテンでは、框６ａ，６ｂを互いに離れる方向に移動させると、框６ａ，６ｂ間のカーテン生地９が引き伸ばされ、框６ａ，６ｂを互いに近づく方向に移動させると、框６ａ，６ｂ間のカーテン生地９が畳まれる。
【００３５】
このとき、連結コード１４ａ，１４ｂ，１５ａ，１５ｂにより、第一及び第二の案内部材１ａ，１ｂは常に緊張された状態に維持される。
また、框６ａ，６ｂの最大離間距離Ｗは、上部コードローラー１２ａ，１３ａと、下部コードローラー１２ｂ，１３ｂとの距離Ｘの２倍となる。従って、距離Ｘを框６ａ，６ｂの高さＨとほぼ等しく設定すれば、框６ａ，６ｂの最大離間距離Ｗは高さＨのほぼ２倍となる。
【００３６】
上記のように構成された横引プリーツカーテンでは、次に示す作用効果を得ることができる。
（１）耐座屈性と屈曲性に優れた案内部材１を構成することができる。
（２）案内部材１ａ，１ｂは、屈曲性が良好で、かつ長手方向に沿った圧縮力に対して座屈しにくい。従って、框６ａ，６ｂを軽微な操作力で、かつ平行に維持した状態で移動させることができる。
（３）案内部材１ａ，１ｂは、長尺となっても撓まないので、案内部材１ｂを支持する下部レールを設ける必要がない。従って、バリアフリーを満たす間仕切りとして使用することができる。
（４）案内部材１ａ，１ｂは、透孔５で筒状部の内外が連通した状態にある。従って、各案内ローラー１０ａ，１０ｂ，１１ａ，１１ｂで屈曲されるとき、筒状部内の空気が透孔５から放出されるので、案内部材１ａ，１ｂを軽微な力で屈曲することができる。
（５）案内部材１ａ，１ｂは、長尺となっても撓まないので、框６ａ，６ｂの移動距離、すなわちカーテン生地の引き出し幅を大きく設定することができる。
（６）両側の框６ａ，６ｂにそれぞれ設けたコードローラー１２ａ，１２ｂ，１３ａ，１３ｂ及び連結コード１４ａ，１４ｂ，１５ａ，１５ｂにより、框６ａ，６ｂの最大離間距離Ｗを上部コードローラー１２ａ，１３ａと下部コードローラー１２ｂ，１３ｂの間隔Ｘの２倍に設定することができる。
（第二の実施の形態）
図４は、横引きプリーツカーテンの第二の実施の形態を示す。この実施の形態は、カーテン生地９に自立性を付与するための支持コード１６ａ，１６ｂを設けたものであり、その他の構成は前記第一の実施の形態と同様である。
【００３７】
框６ａの上下両端部には、上部及び下部コードローラー１７ａ，１７ｂが回転可能に支持され、框６ｂの上下両端部には、上部及び下部コードローラー１８ａ，１８ｂが回転可能に支持されている。
【００３８】
支持コード１６ａは、その一端が案内部材１ａの一端に接続され、上部コードローラー１７ａを経て、カーテン生地９に挿通され、さらに上部コードローラー１８ａに掛装され、他端が案内部材１ａの他端に接続されている。
【００３９】
支持コード１６ｂは、その一端が案内部材１ａの一端に接続され、上部コードローラー１７ａを経て下部コードローラー１７ｂに掛装されてカーテン生地９に挿通され、さらに下部コードローラー１８ｂを経て上部コードローラー１８ａに掛装され、他端が案内部材１ａの他端に接続されている。
【００４０】
このような構成により、框６ａ，６ｂを移動させても、支持コード１６ａ，１６ｂは常に緊張され、その支持コード１６ａ，１６ｂによりカーテン生地９が框６ａ，６ｂに沿って垂直方向に支持される。
【００４１】
上記のように構成された横引きプリーツカーテンでは、前記第一の実施の形態と同様な作用効果を得ることができるとともに、カーテン生地９の自立性を確保することができる。
（第三の実施の形態）
図５は、横引きプリーツカーテンの第三の実施の形態を示す。この実施の形態は、框６ａ，６ｂの下端にキャスターを１９を設けて、床面上を移動可能としたものであり、その他の構成は、前記第一の実施の形態と同様である。
【００４２】
このような構成により、框６ａ，６ｂを床面上で移動させることにより、第一の実施の形態と同様な作用効果を得ることができる。
（第四の実施の形態）
図６は、横引きプリーツカーテンの第四の実施の形態を示す。この実施の形態は、コードローラー１７ａ，１７ｂ，１８ａ，１８ｂに掛装される連結コード２０ａ，２０ｂで案内部材１ｂの両端を連結し、かつ連結コード２０ａ，２０ｂをカーテン生地９に挿通する構成としたものであり、その他の構成は、第一の実施の形態と同様である。
【００４３】
このような構成により、第一の実施の形態と同様な作用効果を得ることができるとともに、連結コード２０ａ，２０ｂをカーテン生地９を支持する支持コードとして動作させることができる。
（第五の実施の形態）
図７は、横引きプリーツカーテンの第五の実施の形態を示す。この実施の形態は、框６ａ，６ｂの上下方向中間部に前記案内部材１ａ，１ｂに噛み合い可能とした歯車２１ａ，２１ｂが回転可能に支持され、各歯車の両側に案内部材１ａ，１ｂの端部が噛み合っている。
【００４４】
そして、案内部材１ａ，１ｂを連結する連結コードは設けられず、その他の構成は前記第一の実施の形態と同様である。
このような構成により、框６ａ若しくは同６ｂを移動させると、案内部材１ａ，１ｂの移動にともなって各歯車２１ａ，２１ｂが回転される。従って、框６ａ，６ｂは平行に維持された状態で移動する。
【００４５】
この実施の形態では、両側の框６ａ，６ｂにそれぞれ設けた歯車２１ａ，２１ｂにより、框６ａ，６ｂの最大離間距離Ｗを歯車２１ａ，２１ｂと下部案内ローラー１０ｂ，１１ｂの間隔Ｘの２倍、すなわちほぼ框６ａ，６ｂの高さＨに設定することができる。
(第六の実施の形態)
図８は、横引きプリーツカーテンの第六の実施の形態を示す。この実施の形態は、框６ａ，６ｂの下端部に案内部材１ａを掛装する案内ローラー１０ｃ，１１ｃが設けられ、案内部材１ａの端部が案内ローラー１０ｃ，１１ｃを介して上方へ案内されている。
【００４６】
そして、案内部材１ａ，１ｂの端部が連結具２２ａ，２２ｂでそれぞれ連結されている。
このように構成された横引きプリーツカーテンでは、框６ａ，６ｂを互いに遠ざかる方向に移動させると、連結具２２ａ，２２ｂで連結された案内部材１ａ，１ｂの端部が下降する。
【００４７】
また、框６ａ，６ｂを互いに近づく方向に移動させると、案内部材１ａ，１ｂの端部が上昇する。従って、框６ａ，６ｂは平行に維持された状態で移動する。
この実施の形態では、框６ａ，６ｂの最大離間距離Ｗを上部案内ローラー１０ａ，１１ａと下部案内ローラー１０ｃ，１１ｃとの間隔Ｘの２倍、すなわちほぼ框６ａ，６ｂの高さＨに設定することができる。
（第七の実施の形態）
図９は、横引きプリーツカーテンの第七の実施の形態を示す。この実施の形態は、前記第六の実施の形態に、支持コード２３ａ，２３ｂを付加したものであり、その他の構成は第六の実施の形態と同様である。
【００４８】
すなわち、支持コード２３ａはその一端が連結具２２ａに接続され、下部コードローラー１７ｂを経てカーテン生地９に挿通され、下部コードローラー１８ｂを経て他端が連結具２２ｂに接続される。
【００４９】
支持コード２３ｂはその一端が連結具２２ａに接続され、下部コードローラー１７ｂ及び上部コードローラー１７ａを経てカーテン生地９に挿通され、上部コードローラー１８ａ及び下部コードローラー１８ｂを経て他端が連結具２２ｂに接続される。
【００５０】
このように構成された横引きプリーツカーテンでは、第六の実施の形態と同様な作用効果を得ることができるとともに、支持コード２３ａ，２３ｂでカーテン生地９の自立性を確保することができる。
（第八の実施の形態）
図１０は、横引きプリーツカーテンの第八の実施の形態を示す。この実施の形態は、框６ａ，６ｂが直角ランナー２４ａ，２４ｂを介してハンガーレール８に吊下支持されている。従って、框６ａ，６ｂは揺動不能に吊下支持される。
【００５１】
框６ｂの下端部には、案内ローラー２５が回転可能に支持され、その案内ローラー２５には案内部材１ｂが掛装されている。案内部材１ｂの一端は框６ａの下端部に接続され、他端は框６ｂ内を上方へ案内されている。
【００５２】
前記框６ｂの上下両端部には、上部コードローラー２６ａ、下部コードローラー２６ｂが回転可能に支持されている。そして、上部コードローラー２６ａに掛装されたテンションコード２７の一端は、框６ａの上端部に接続され、そのテンションコード２７の他端は下部コードローラー２６ｂを経て前記案内部材１ｂの他端に接続されている。
【００５３】
このように構成された横引きプリーツカーテンでは、框６ａ，６ｂを移動させるとき、框６ａ，６ｂは直角ランナー２４ａ，２４ｂによりその揺動及び傾動が防止されて、常に垂直方向に吊下支持される。
【００５４】
そして、框６ａ，６ｂが互いに離間する方向に移動するとき案内部材１ｂの他端が下降する。また、框６ａ，６ｂが互いに近づく方向に移動するとき、案内部材１ｂの他端は上昇する。
【００５５】
このような動作により、框６ａ，６ｂを常に平行に維持した状態で移動させることができ、テンションコード２７を常に緊張することができる。
（第九の実施の形態）
図１１は、横引きプリーツカーテンの第九の実施の形態を示す。この実施の形態は、前記第八の実施の形態の案内部材１ｂの他端が、框６ｂ上端の案内ローラー２８を介して框６ｂの外部へ案内され、ハンガーレール８に固定されている。
【００５６】
そして、テンションコードの２７の他端は下部コードローラー２６ｂを経て案内部材１ｂに接続され、さらに下部コードローラー２６ｂに掛装される支持コード２９の一端は框６ａの下端部に接続され、他端は案内部材１ｂに接続されている。
【００５７】
このように構成された横引きプリーツカーテンでは、第八の実施の形態と同様な作用効果を得ることができるとともに、框６ａ，６ｂの最大離間距離Ｗを、案内部材１ｂの長さに応じた任意の距離に設定することができる。
【００５８】
また、支持コード２９によりカーテン生地９の自立性を確保することができる。
(第十の実施の形態)
図１２は、第十の実施の形態を示す。この実施の形態は、前記第一〜第九の実施の形態で使用される案内部材１ａ，１ｂの別の実施の形態を示す。
【００５９】
この実施の形態の案内部材１ｃは、図１及び図２に示す案内部材１から透孔５を省略した構成である。このような案内部材１ｃを使用する場合には、案内部材１ｃを掛装する案内ローラーは、歯車以外のローラーとする必要がある。
（第十一の実施の形態）
図１３は、第十一の実施の形態を示す。この実施の形態は、案内部材の別の実施の形態を示す。案内部材１ｄは、断面が緩く湾曲した鋼材２ｂを上下２枚突き合わせるようにして、その端部を粘着テープ４ｂで接合する。このとき、鋼材２ｂの端部を僅かに離間させることにより、屈曲性の向上を図ることができる。
（第十二の実施の形態）
図１４は、第十二の実施の形態を示す。この実施の形態は、案内部材の別の実施の形態を示す。案内部材１ｅは、前記第十一の実施の形態と同様な鋼材２ｂを上下２枚突き合わせるようにして、軟質樹脂４ａで全体を被覆する。このとき、鋼材２ｂの端部を僅かに離間させることにより、屈曲性の向上を図ることができる。
【００６０】
上記実施の形態は、次に示すように変更することもできる。
・案内部材は、鋼材に代えて合成樹脂材を使用してもよい。
・案内部材は、筒状部の内周面を軟質樹脂で被覆して接合してもよい。
【００６１】
【発明の効果】
以上詳述したように、この発明は框を平行移動させる案内部材において、剛性と屈曲性をともに満足させ、かつ撓みを防止し得る案内部材を提供することができる。
【図面の簡単な説明】
【図１】  第一の実施の形態の案内部材を示す正面図である。
【図２】  第一の実施の形態の案内部材を示す断面図である。
【図３】  第一の実施の形態の横引きプリーツカーテンを示す正面図である。
【図４】  第二の実施の形態の横引きプリーツカーテンを示す正面図である。
【図５】  第三の実施の形態の横引きプリーツカーテンを示す正面図である。
【図６】  第四の実施の形態の横引きプリーツカーテンを示す正面図である。
【図７】  第五の実施の形態の横引きプリーツカーテンを示す正面図である。
【図８】  第六の実施の形態の横引きプリーツカーテンを示す正面図である。
【図９】  第七の実施の形態の横引きプリーツカーテンを示す正面図である。
【図１０】  第八の実施の形態の横引きプリーツカーテンを示す正面図である。
【図１１】  第九の実施の形態の横引きプリーツカーテンを示す正面図である。
【図１２】  第十の実施の形態の案内部材を示す断面図である。
【図１３】  第十一の実施の形態の案内部材を示す断面図である。
【図１４】  第十二の実施の形態の案内部材を示す断面図である。
【符号の説明】
１ａ，１ｂ      案内部材
２ａ，２ｂ      薄板(鋼材)
４ａ，４ｂ      軟質樹脂
６ａ，６ｂ      框
【図１】
0004695754.tif 000002
【図２】
0004695754.tif 000003
【図３】
0004695754.tif 000004
【図４】
0004695754.tif 000005
【図５】
0004695754.tif 000006
【図６】
0004695754.tif 000007
【図７】
0004695754.tif 000008
【図８】
0004695754.tif 000009
【図９】
0004695754.tif 000010
【図１０】
0004695754.tif 000011
【図１１】
0004695754.tif 000012
【図１２】
0004695754.tif 000013
【図１３】
0004695754.tif 000014
【図１４】
0004695754.tif 000015